(57)【要約】【課題】本発明は、従来のイメージを払拭させた、他商品との差別化戦略、及びユーザー認知度の向上とお客様に対する利便性や実用性をコミュニケーションすることを目的として、ＣＤ等を保護性を有する台紙にセットし、かつ一部水引飾りを備えたＣＤ付きプレミアムギフトを提供する。【解決手段】本発明のＣＤ等を添付するプレミアムセットは、ＣＤ等を保護性を有する台紙にセットし、かつ一部水引飾りを備えたものであり、矩形状の台板（２２）と任意な形状に形成された水引飾り（２５）とにより構成され、台板に設けた貼着板（１５）と水引飾りに設けた貼着片（１５ａ）とを貼り合わせ、固定用台座にＣＤ等を嵌め込み台板（２２）の折れ線（ｔ）から水引飾りの裏面側に二つ折すると共に、蓋板の差し込み口（１３）を水引飾りの差し込み片（１３ａ）で係止したことを特徴とするものである。【選択図】図１
2004099106.tif 000002
【特許請求の範囲】
【請求項１】
矩形状の台板（２２）と任意な形状に形成された水引飾り（２５）とからなる紙製のＣＤ、ＣＤ−ＲＯＭ、ＤＶＤ等を添付するプレミアムセットにおいて、該台板（２２）が面板（１０）の下方に折れ線（ｔ）を介して貼着板（１５）と嵌合凹部（２０）を設けた嵌合片（１８）を連設し、一方、面板（１０）の上方には折れ線を介して中央部に差し込み口（１３）を設けた蓋板（１４）を連設し、また前記水引飾り（２５）は、上辺中央部に折れ線（ｎ）を介して貼着片（１５ａ）と、下辺には差し込み片（１３ａ）を突出させ、該水引飾り（２５）の任意の箇所に飾り紐（２７）用の貫通孔（ｈ，ｈ）を設けたもので、前記台板の面板（１０）裏面側にＣＤ（３１）等の固定用台座（３５）と紙製等からなるクッション板（３０）を貼着し、さらに台板に設けた貼着板（１５）と水引飾りに設けた貼着片（１５ａ）とを貼り合わせ、前記固定用台座にＣＤ等を嵌め込み台板（２２）の折れ線（ｔ）から水引飾りの裏面側に二つ折りして、蓋板の差し込み口を差し込み片で係止したことを特徴とするＣＤ付きプレミアムセット。
【請求項２】
前記水引飾り（２５）の貫通孔（ｈ，ｈ）に飾り紐（２７）を通し、瓶ネック等に吊り下げ展示することを特徴とする請求項１に記載のＣＤ付きプレミアムセット。
【請求項３】
前記台（２２）に設けた嵌合片（１８）を身凾の中仕切り等に嵌合係止したことを特徴とする請求項１又は２に記載のＣＤ付きプレミアムセット。
【発明の詳細な説明】
【０００１】
【発明の属する技術分野】
本発明は、清酒業界等用の贈答用プレミアムギフトとして清酒等を入れた身凾内にセットし販売するもので、受け手側が各種利用できる内容のＣＤ、ＣＤ−ＲＯＭ、ＤＶＤ等を添付したＣＤ（コンパクトディスク）付きプレミアムセットに関するものである。
【０００２】
【従来の技術】
従来型の歳暮等に用いられる清酒等の贈答用セットにおいては、化粧等が施された身凾内或いは飾り用として豪華水引飾り（台紙付き）、或いは他の酒に関する小道具等がプレミアム景品として一般的になっていた。
【０００３】
【発明が解決しようとする課題】
しかしながら、従来の歳暮商戦においては正月飾りを付けたり、商品パッケージに装飾を加えるなどして自社商品を選択してもらう工夫を凝らしているが、こうした方法は単なる一過性的なものにしか過ぎず、正月飾りは特定の時期が過ぎれば、また、装飾は受取側が商品をパッケージから出した段階で不要となってしまうものである。
【０００４】
そこで本発明は、従来のイメージを払拭させた、他商品との差別化戦略、及びユーザー認知度の向上とお客様に対する利便性や実用性をコミュニケーションすることを目的として、ＣＤ等を保護性を有する台紙にセットし、かつ一部水引飾りを備えたＣＤ、ＣＤ−ＲＯＭ、ＤＶＤ等を添付したＣＤ付きプレミアムギフトを提供する。
【０００５】
【課題を解決するための手段】
上記目的を達成するために、本発明における第１の発明は、
矩形状の台板（２２）と任意な形状に形成された水引飾り（２５）とからなる紙製のＣＤ、ＣＤ−ＲＯＭ、ＤＶＤ等を添付するＣＤ付きプレミアムセットであり、前記台板（２２）は面板（１０）の下方に折れ線（ｔ）を介して貼着板（１５）と嵌合凹部（２０）を設けた嵌合片（１８）を設け、一方、面板（１０）の上方には中央部に差し込み口（１３）を設けた蓋板（１４）を設けたもので、さらに前記水引飾り（２５）は、上辺中央部に折れ線（ｎ）を介して貼着片（１５ａ）と、下辺には差し込み片（１３ａ）を突出させ、この水引飾り（２５）の任意の箇所に飾り紐（２７）用の貫通孔（ｈ，ｈ）を設け、前記台板の面板（１０）裏面側にＣＤ（３１）等の固定用台座（３５）と紙製等からなるクッション板（３０）を貼着し、さらに台板に設けた貼着板（１５）と水引飾りに設けた貼着片（１５ａ）とを貼り合わせ、前記固定用台座にＣＤ等をを嵌め込み台板（２２）の折れ線（ｔ）から水引飾りの裏面側に二つ折りして、蓋板の差し込み口を差し込み片で係止したことを特徴とするＣＤ付きプレミアムセットである。
【０００６】
請求項１に記載のＣＤ付きプレミアムセットにおいて、
前記水引飾り（２５）の貫通孔（ｈ，ｈ）に飾り紐（２７）を通し、瓶ネック等に吊り下げ展示することを特徴とするものである。
【０００７】
請求項１又は２に記載のＣＤ付きプレミアムセットにおいて、
前記台（２２）に設けた嵌合片（１８）を身凾の中仕切り等に嵌合係止したことを特徴とするものである。
【０００８】
【発明の実施の形態】
本発明のＣＤ付きプレミアムセットは、従来のイメージを払拭させた、他商品との差別化戦略、及びユーザー認知度の向上とお客様に対する利便性や実用性をコミュニケーションすることを目的として、ＣＤ、ＣＤ−ＲＯＭ、ＤＶＤ等を保護性を有する台紙にセットし、かつ一部水引飾りを備えたものである。すなわち、矩形状の台板（２２）と任意な形状に形成された水引飾り（２５）とにより構成され、台板に設けた貼着板（１５）と水引飾りに設けた貼着片（１５ａ）とを貼り合わせ、固定用台座にＣＤ等を嵌め込み台板（２２）の折れ線（ｔ）から水引飾りの裏面側に二つ折すると共に、蓋板の差し込み口（１３）を水引飾りの差し込み片（１３ａ）で係止したことを特徴とするものである。
【０００９】
図に基づき本発明の実施の形態を詳細に説明する。　　　　　　　　　　　　図１は、本発明の一実施例におけるＣＤ付きプレミアムセットの構成部材を示すもので、（Ａ）はＣＤ固定用台座を備える紙製の台板を示し、（Ｂ）は水引飾りの平面図である。また、図２は、上記ＣＤ付きプレミアムセットを組み立て裏面側から見た平面図である。
【００１０】
先ず、図１に示すように、本発明のＣＤ等を添付するＣＤ付きプレミアムセットは、矩形状の台板（２２）と任意な形状に形成された水引飾り（２５）とにより構成されものであり、この矩形状の台板（２２）と、図１（Ｂ）に示す任意な形状に形成された水引飾り（２５）とからなる紙製のＣＤ等を添付するプレミアムセットである。この前記台板（２２）は面板（１０）の下方に折れ線（ｔ）を介して貼着板（１５）と嵌合凹部（２０）を設けた嵌合片（１８）を連設し、また一方、面板（１０）の上方には折れ線を介して中央部に差し込み口（１３）を設けた蓋板（１４）を連設したものである。
さらに、図１（Ｂ）に示すように、前記水引飾り（２５）は、上辺中央部に折れ線（ｎ）を介して貼着片（１５ａ）と、下辺には差し込み片（１３ａ）を突出させ任意に構成された形状としたもので、この水引飾り（２５）の任意の箇所に飾り紐（２７）用の貫通孔（ｈ，ｈ）を設けたものである。また、この裏面側においては無地でもよいが、表面側はその時期に相応しい絵柄等を施すことが望ましい。また、添付するＣＤ（コンパクトディスク）は、ＣＤ−ＲＯＭ、ＤＶＤ等限定はしない。
【００１１】
この組み立ては、図２に示すように、前記台板（２２）の面板（１０）裏面側にプラスチック製のＣＤ（３１）等の固定用台座（３５）と、紙製或いはプラスチック製等からなる望ましくは固定台座と同厚のクッション板（３０）を貼着し、さらに台板に設けた貼着板（１５）と水引飾りに設けた貼着片（１５ａ）とを貼り合わせて連結し、前記固定用台座にＣＤ盤等を嵌め込み台板（２２）の折れ線（ｔ）から水引飾りの裏面側（無地面）に二つ折りで折り曲げると共に、台板の蓋板（１４）を折り曲げ差し込み口（１３）を水引飾りの差し込み片（１３ａ）で係止することによりＣＤ付きプレミアムセットが得られる。
【００１２】
また、図３は、ＣＤ付きプレミアムセットを組み立て表面から見た平面図である。
図３に示すように、貼着片同士が貼り合わされで台板と適宜その時期に相応しい絵柄等を設けた水引飾りが繋ぎ合わされると共に、台板（２２）に設けた嵌合凹部（２０）を有する嵌合片（１８）を表面側に折り畳む。前記に述べたように、台板（２２）は水引飾り（２５）の裏面側に折り曲げられ係止されることで、装飾された水引飾りが表面になり飾られることになる。
【００１３】
さらに、前記水引飾り（２５）は、図２に示すように、貫通孔（ｈ，ｈ）に飾り紐（２７）を裏面側から通し、図３に示すように、飾り用として利用する場合と、図示はしないが、この飾り紐を瓶ネック等に直接吊り下げ展示することも可能となる。
【００１４】
さらに、図示はしないが、前記台（２２）に設けた嵌合片（１８）を、垂直方向に折り立てて酒瓶等を収めたギフトセットの身凾の中仕切り等に嵌合凹部（２０）を嵌め込み係止することも可能で、ギフトセット内に収めると共に、しっかりと固定されるのでＣＤ等を保護することができる。
【００１５】
【発明の効果】
本発明のＣＤ等を添付するプレミアムセットは、従来のイメージを払拭させた、他商品との差別化戦略、及びユーザー認知度の向上とお客様に対する利便性や実用性をコミュニケーションすることを目的として、ＣＤ等を保護性を有する台紙にセットし、かつ一部水引飾りを備えたものである。すなわち、矩形状の台板と任意な形状に形成されてその時期に相応しい絵柄等を設けた水引飾りとにより構成され、台板に設けた貼着板と水引飾りに設けた貼着片とを貼り合わせ、固定用台座にＣＤ等を嵌め込み台板の折れ線から水引飾りの裏面側に二つ折すると共に、蓋板の差し込み口を水引飾りの差し込み片で係止することでＣＤ付きプレミアムセットが得られる。
さらに、水引飾りの貫通孔に飾り紐を通し、飾り用として利用する場合と、この飾り紐を瓶ネック等に直接吊り下げ展示することも可能となる。また、台板に設けた嵌合片を、垂直方向に折り立てて酒瓶等を収めたギフトセットの身凾の中仕切り等に嵌合凹部を嵌め込み係止することも可能で、ギフトセット内に収めると共に、しっかりと固定されるのでＣＤ等を保護することができる等の優れた効果を奏する。
【００１６】
また、他の効果として添付するＣＤ、ＣＤ−ＲＯＭ、ＤＶＤ等には、各種オリジナルＣＭソング集、クイズ等の音声データを入れることで、一般家庭でのパソコン利用者であれば自由にアクセスすることが出来、企業イメージ、ブランドイメージ等の知名度アップに役立つものであると共に、他商品との差別化戦略が可能となる等の効果を奏する。
【図面の簡単な説明】
【図１】本発明の一実施例におけるＣＤ等を添付するプレミアムセットの構成部材を示すもので、（Ａ）はＣＤ固定用台座を備える紙製の台板を示し、（Ｂ）は水引飾りの平面図である。
【図２】本発明の同実施例を示す、上記ＣＤ付きプレミアムセットを組み立て裏面側から見た平面図である。
【図３】本発明の同実施例を示す、上記ＣＤ付きプレミアムセットを組み立て表面側から見た平面図である。
【符号の説明】
１０……面板
１３‥‥差し込み口
１３ａ…差し込み片
１４……蓋板
１５……貼着板
１５ａ…貼着片
１８……嵌合片
２０……嵌合凹部
２２……台板
２５……水引飾り
２７……飾り紐
３０……クッション板
３５……ＣＤの固定用台座
ｈ……貫通孔
ｎ，ｔ……折れ線
【図１】
2004099106.tif 000003
【図２】
2004099106.tif 000004
【図３】
2004099106.tif 000005